【事件の表示】
　特願２００６−１９５１７１「携帯型電話システムおよび液晶モジュール」拒絶査定不服審判事件〔平成１８年１１月２４日出願公開、特開２００６−３１７９７１〕について、次のとおり審決する。
【結　論】
　本件審判の請求は、成り立たない。
【理　由】
第１　手続の経緯
　本願は、平成９年１月３０日に出願した特願平９−１６９３５号（以下、「原々々出願」という。）の一部を、平成１５年５月１日に新たな特許出願とした特願２００３−１２６４６８号について、さらにその一部を平成１８年１月１３日に新たな特許出願とした特願２００６−５９５５号について、さらにその一部を平成１８年７月１８日に新たな特許出願としたものであって、平成１９年８月１５日付け（発送日：平成１９年８月２１日）で拒絶査定がなされ、これに対して平成１９年９月２０日に拒絶査定不服審判の請求がなされるとともに、平成１９年１０月１９日付けで特許請求の範囲を対象とする手続補正がなされたものである。
　
第２　平成１９年１０月１９日付け手続補正についての補正却下の決定
［補正却下の決定の結論］
　平成１９年１０月１９日付け手続補正を却下する。
［理由１］目的要件違反
　平成１９年１０月１９日付け手続補正（以下、「本件補正」という。）により、補正前の特許請求の範囲の請求項３が、
「　　【請求項３】
　液晶表示パネルと、
　前記液晶パネルを構成するガラス基板上に実装され、前記液晶パネルの第１方向に設けられた複数の第１電極と前記第１方向に交差する第２方向に設けられた複数の第２電極の駆動を制御し、前記液晶パネルにおいて一部表示領域を設定可能な液晶表示制御装置と、
を含む液晶モジュールであって、
　前記液晶表示制御装置は、
　前記液晶表示制御装置の外部から信号が入力されるインタフェース回路と、
　前記インタフェース回路に結合され、前記液晶パネルに表示すべき表示データを格納する表示データＲＡＭと、
　前記表示データＲＡＭのアドレスを発生するアドレスカウンタと、
　前記液晶表示制御装置の内部でタイミング信号を発生するタイミング発生回路と、
　前記タイミング発生回路に結合され、前記複数の第１電極を駆動するための信号を出力する第１ドライバと、
　前記表示データＲＡＭから読み出された表示データに従って前記複数の第２電極を駆動するための信号を出力する第２ドライバと、
　前記インタフェース回路に結合され、前記一部表示領域の位置を指定する表示位置設定レジスタと、を有し、
　前記表示位置設定レジスタは、前記液晶表示制御装置の外部から書き替え可能とされ、
　前記第１ドライバは、前記表示位置設定レジスタで指定される前記一部表示領域の位置の前記第１電極を駆動し、かつ、前記液晶パネルにおいて非表示領域に対応する前記一部表示領域以外の位置の前記第１電極に対して、選択レベルの電圧を印加しない液晶モジュール。」から、
　
「　　【請求項３】
　液晶表示パネルと、
　前記液晶パネルを構成するガラス基板上に実装され、前記液晶パネルの第１方向に設けられた複数の第１電極と前記第１方向に交差する第２方向に設けられた複数の第２電極の駆動を制御し、前記液晶パネルにおいて一部表示領域を設定可能な液晶表示制御装置と、
を含む液晶モジュールであって、
　前記液晶表示制御装置は、
　前記液晶表示制御装置の外部から信号が入力されるインタフェース回路と、
　前記インタフェース回路に結合され、前記液晶パネルに表示すべき表示データを格納する表示データＲＡＭと、
　前記表示データＲＡＭのアドレスを発生するアドレスカウンタと、
　前記液晶表示制御装置の内部でタイミング信号を発生するタイミング発生回路と、
　前記タイミング発生回路に結合され、前記複数の第１電極を駆動するための信号を出力する第１ドライバと、
　前記表示データＲＡＭから読み出された表示データに従って前記複数の第２電極を駆動するための信号を出力する第２ドライバと、
　前記インタフェース回路に結合され、前記一部表示領域の位置を
任意に
　前記表示位置設定レジスタは、前記液晶表示制御装置の外部から書き替え可能とされ、
　前記第１ドライバは、前記表示位置設定レジスタで指定される前記一部表示領域の位置の前記第１電極を駆動し、かつ、前記液晶パネルにおいて非表示領域に対応する前記一部表示領域以外の位置の前記第１電極に対して、
フレーム周期に同期して非選択レベルの電圧で交流駆動を行うと共に、
　
　本件補正により、
（ア）補正前の「表示位置設定レジスタ」が、「一部表示領域の位置を指定する」ものから、「一部表示領域の位置を任意に指定する」ものとされ、一部表示領域の位置を「任意に」指定する点が、新たに付加限定され、
（イ）補正前の「第１ドライバ」が、一部表示領域以外の位置の第１電極に対して、「選択レベルの電圧を印加しない」ことに加えて、「フレーム周期に同期して非選択レベルの電圧で交流駆動を行う」ことが付加された。
　
　上記補正（イ）について検討する。
　本願の明細書の段落【００２２】、【００４０】の記載からみて、当該補正により付加された「フレーム周期に同期して非選択レベルの電圧で交流駆動を行う」という事項により、補正後の請求項３に記載された発明は、「液晶に直流バイアスが印加されて液晶が劣化し表示が黒ずんでしまうのを回避する」という新たな課題を解決しようとするものになったから、補正前の請求項３に記載された発明とその補正後の請求項３に記載される発明の産業上の利用分野及び解決しようとする課題が同一であるとは認められない。
　したがって、本件補正は、特許請求の範囲の減縮を目的とするものに該当しない。そして、本件補正は、請求項の削除、誤記の訂正、明りょうでない記載の釈明を目的とする補正のいずれにも該当しない。
　
　よって、本件補正は、平成１８年法律第５５号改正附則第３条第１項によりなお従前の例によるとされる同法による改正前の特許法第１７条の２第４項の規定に違反するので、同法第１５９条第１項で読み替えて準用する同法第５３条第１項の規定により却下すべきものである。
　
［理由２］独立特許要件違反
　本件補正が、仮に、特許請求の範囲の減縮を目的とする補正であるとした場合、本件補正後の請求項３に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
１　本件補正後の本願発明
　本件補正後の請求項３に係る発明（以下、「本願補正発明」という。）は、本件補正により補正された特許請求の範囲、明細書及び図面からみて、以下のとおりのものと認める。
　
「　　【請求項３】
　液晶表示パネルと、
　前記液晶パネルを構成するガラス基板上に実装され、前記液晶パネルの第１方向に設けられた複数の第１電極と前記第１方向に交差する第２方向に設けられた複数の第２電極の駆動を制御し、前記液晶パネルにおいて一部表示領域を設定可能な液晶表示制御装置と、
を含む液晶モジュールであって、
　前記液晶表示制御装置は、
　前記液晶表示制御装置の外部から信号が入力されるインタフェース回路と、
　前記インタフェース回路に結合され、前記液晶パネルに表示すべき表示データを格納する表示データＲＡＭと、
　前記表示データＲＡＭのアドレスを発生するアドレスカウンタと、
　前記液晶表示制御装置の内部でタイミング信号を発生するタイミング発生回路と、
　前記タイミング発生回路に結合され、前記複数の第１電極を駆動するための信号を出力する第１ドライバと、
　前記表示データＲＡＭから読み出された表示データに従って前記複数の第２電極を駆動するための信号を出力する第２ドライバと、
　前記インタフェース回路に結合され、前記一部表示領域の位置を任意に指定する表示位置設定レジスタと、を有し、
　前記表示位置設定レジスタは、前記液晶表示制御装置の外部から書き替え可能とされ、
　前記第１ドライバは、前記表示位置設定レジスタで指定される前記一部表示領域の位置の前記第１電極を駆動し、かつ、前記液晶パネルにおいて非表示領域に対応する前記一部表示領域以外の位置の前記第１電極に対して、フレーム周期に同期して非選択レベルの電圧で交流駆動を行うと共に、選択レベルの電圧を印加しない液晶モジュール。」
　
２　引用刊行物に記載された発明
（１）原査定の拒絶の理由に引用され、原々々出願の出願前の平成７年１０月２７日に頒布された刊行物である特開平７−２８１６３２号公報（以下、「引用刊行物１」という。）には、「液晶表示装置」の発明に関して、図面とともに以下の事項が記載されている。
　
＜記載事項１＞
「【０００２】
【従来の技術】例えばページャー（選択呼出受信機）の表示部に使用されるような比較的小型の液晶表示パネルを駆動する液晶表示装置の一般的な回路構成を図３に示す。同図で、11が駆動対象となる液晶表示パネルであり、この液晶表示パネル11のセグメント電極及びコモン電極を液晶ドライバ12が表示駆動する。すなわち、液晶ドライバ12内には、液晶表示パネル11のセグメント電極を駆動するためのセグメントドライバ12ａ、同コモン電極を駆動するためのコモンドライバ12ｂ及びこれらセグメントドライバ12ａ、コモンドライバ12ｂの動作制御を行なう液晶コントローラ12ｃが備えられる。
【０００３】この液晶コントローラ12ｃは、図示しないＣＰＵから送られてくる表示データとタイミング信号に従ってセグメントドライバ12ａ、コモンドライバ12ｂへそれぞれ駆動信号を送出する。セグメントドライバ12ａ、コモンドライバ12ｂは、それぞれこの液晶コントローラ12ｃからの駆動信号に従って、液晶駆動用電源回路13から供給される複数レベルの駆動電圧値を選択して所定の電極に印加するものである。」
　
＜記載事項２＞
「【０００６】ところで、近年のぺージャーでは高機能化が進み、種々のメッセージ等を表示させるために表示部の液晶表示パネルも大型のものが使用されるようになっている。そして、大型の液晶表示パネルを使用する場合、小型の液晶表示パネルと比較してデューティ比が上がるので、必要なコントラストを得るためにはどうしても駆動電圧を高くせざるを得ない。
【０００７】図６はこのような駆動電圧の高い液晶表示パネルへの印加電圧ＶDD，Ｖ1 〜Ｖ5 （ＶDD＞Ｖ1 ＞Ｖ2 ＞Ｖ3 ＞Ｖ4 ＞Ｖ5 ，｜ＶDD−Ｖ5 ｜＝α×｜ＶDD−ＶSS｜，α＞１）を発生すべく上記液晶駆動用電源回路13内に設けられる電圧発生回路の構成を示すものである。同図でＶDD，ＶSSは共にＣＰＵを含めた論理回路チップへの動作電圧を使用するものであり、電圧ＶDDを基準にして電圧ＶSSの電位差を昇圧回路31で拡大（昇圧）して電圧Ｖ5 とし、これをレギュレータ32で安定化してから直列接続された抵抗Ｒ21〜Ｒ25にて分圧することにより、その中途電圧Ｖ1 〜Ｖ4 をも得るようにしたものである。得られた中途電圧Ｖ1 〜Ｖ4 は電圧バッファ33〜36により安定化されるもので、これら電圧ＶDD，Ｖ1 〜Ｖ5 が上記液晶ドライバ12内のセグメントドライバ12ａ，コモンドライバ12ｂへ供給される。
【０００８】
【発明が解決しようとする課題】上記のように表示部の液晶表示パネルを大型化し、液晶表示パネルの駆動電圧を高く設定することで、必然的に回路全体での消費電力が増大する。そのため、１回の充電で使用できる時間が短くなってしまうという不具合を生じる。
【０００９】本発明は上記のような実情に鑑みてなされたもので、その目的とするところは、大型の液晶表示パネルを使用しながらもその消費電力を低く抑え、充電池電源を有効に使用することが可能な液晶表示装置を提供することにある。
【００１０】
【課題を解決するための手段】すなわち本発明は、表示対象である液晶表示パネル全領域使用時のコモン電極、セグメント電極への駆動電圧及びこの駆動電圧よりも実効波高値の小さい上記液晶表示パネル一部領域使用時のコモン電極、セグメント電極への駆動電圧を切換え出力する電源回路と、この電源回路からの駆動電圧に基づいて上記液晶表示パネルの全領域または一部領域に対応するコモン電極、セグメント電極を切換駆動する電極駆動回路とを備えるようにしたものである。
【００１１】
【作用】上記のような構成とすることにより、表示データ量の少ない通常の状態では液晶表示パネルの一部領域のみに表示を行なわせることで低い駆動電圧ながら充分なコントラストによる表示を実行させる一方、表示データ量の多い状態では液晶表示パネルの全領域に表示を行なわせることで高い駆動電圧による充分なコントラストの表示を実行させるため、大型の液晶表示パネルを使用しながらも必要時外での消費電力を低く抑え、充電池電源を有効に使用することが可能となる。
【００１２】
【実施例】以下本発明をページャーに適用した場合の一実施例について図面を参照して説明する。図１はその回路構成を示すもので、基本的には上記図６に示したものと同様であるので、同一部分には同一符号を付してその説明は省略する。」
　
＜記載事項３＞
「【００１９】図２（Ａ）（左側）は上記電圧ＶDD，Ｖ1 〜Ｖ3 （ＶDD＞Ｖ1 ＞Ｖ2 ＞Ｖ3 （＝ＶSS））を用いた液晶表示パネルの一部領域のみの駆動によるデューティ比１／４での表示状態を示すものである。ここでは、液晶表示パネルがコモン電極ＣＯＭ０〜１９及びこれと対応したセグメント電極ＳＥＧ０，１，２，…を有するものとし、このうちコモン電極ＣＯＭ０〜２及びこれと対応した一部のセグメント電極のみにより液晶表示パネルの一部領域に例えば時刻を表示させるものとする。同図（Ａ）に示す如く、表示に使用されないコモン電極ＣＯＭ３〜１９への電圧波形は全て同一とするものである。」
　
　上記記載事項１の段落【０００２】の記載からみて、上記記載事項１及び図面の図３には、ページャーの表示部に使用される比較的小型の液晶表示装置の一般的な回路構成が示されていることが読み取れる。
　また、上記記載事項１乃至３からみて、引用刊行物１に記載された【従来の技術】と【実施例】とは、液晶駆動電圧の発生回路の構成及び液晶表示パネルの一部領域を表示させる時の駆動波形においてのみ相違すると認められるから、上記記載事項１及び図面の図３に示される構成は、引用刊行物１に記載の【実施例】における液晶表示装置の回路構成であると解することができる。
　
　上記記載事項１及び図面の図３からみて、液晶ドライバ１２の液晶コントローラ１２ｃに信号を送るＣＰＵが、液晶ドライバ１２の内部にないこと、つまり液晶ドライバ１２の外部にあることは、明記されていないが読み取ることができる。
　そして、液晶ドライバ１２の液晶コントローラ１２ｃに、液晶ドライバ１２の外部にあるＣＰＵから表示データとタイミング信号が送られていることからみて、前記液晶コントローラ１２ｃは前記ＣＰＵからの信号を受けとるための「インターフェース回路」があること、つまり液晶ドライバ１２はインターフェース回路を備えていることが、明記されていないが読み取ることができる。
　
　上記記載事項１、３及び図面の図２（Ａ）からみて、液晶表示パネルの一部領域に表示をする低デューティ駆動時、コモンドライバは、前記一部領域に対応するコモン電極ＣＯＭ０〜２に対してはＣＯＭ０、ＣＯＭ１、ＣＯＭ２の順に選択電圧を走査し、液晶表示パネルの前記一部領域とは異なる領域に対応する表示に使用されないコモン電極ＣＯＭ３〜１９に対しては、コモン電極ＣＯＭ２の走査後、選択電圧を一括して印加していることが読み取れる。
　
　図面の図２（Ａ）、図４からみて、コモンドライバは、表示に使用されないコモン電極ＣＯＭ３〜１９に対して、コモン電極ＣＯＭ０を選択してからコモン電極ＣＯＭ１９を選択するまでの期間毎、すなわちフレーム周期に同期して、極性を反転した駆動電圧を印加していること、すなわち交流駆動を行うことが見て取れる。
　また、上記記載事項２には「液晶表示パネルの一部領域のみに表示を行なわせる」と記載されているが、この表示は液晶ドライバによることは明らかである。
　
　よって、前記記載事項１乃至３及び図面の記載からみて、引用刊行物１には、以下の発明が記載されているものと認められる。
　
「液晶表示パネルと、
　前記液晶表示パネルのコモン電極ＣＯＭ０〜１９及びセグメント電極ＳＥＧ０、１、２、…を駆動し、前記液晶表示パネルの一部領域のみに表示を行わせる液晶ドライバと、を含む液晶表示装置であって、
　前記液晶ドライバは、
　前記液晶ドライバの外部のＣＰＵから表示データとタイミング信号が送られてくるインタフェース回路と、
　前記コモン電極ＣＯＭ０〜１９を駆動するコモンドライバと、
　前記セグメント電極ＳＥＧ０、１、２、…を、前記ＣＰＵから送られてくる表示データとタイミング信号に従って駆動するセグメントドライバと、を備え、
　前記コモンドライバは、前記一部領域に対応するコモン電極ＣＯＭ０〜２を走査し、前記液晶表示パネルの前記一部領域とは異なる領域に対応する表示に使用されないコモン電極ＣＯＭ３〜１９に対しては、フレーム周期に同期して交流駆動を行いかつ選択電圧が一括して印加される液晶表示装置。」（以下、「引用発明１」という。）
　
（２）原査定の拒絶の理由に引用され、原々々出願の出願前の平成１年８月１０日に頒布された刊行物である特開平１−１９８７９３号公報（以下、「引用刊行物２」という。）には、図面とともに以下の事項が記載されている。
　
＜記載事項４＞
「また、上記オフセット手段を上記行駆動手段に設けた場合、上記設定値に対応した行電極から順次駆動される。表示データの容量がドットマトリクス表示装置の表示容量より小さい場合には、上記設定値を適当に選ぶことにより、表示データがドットマトリクス表示装置の表示パネルの中央に表示されるようになすことができる。」（第２頁右下欄第１０−１７行）
　
＜記載事項５＞
「第１図において、ドツトマトリクス表示装置１０１内の行電極駆動回路３０１および列電極駆動回路４０１にはそれぞれ、本発明の最も特徴的な行方向オフセット回路３１、列方向オフセット回路４１を配置している。表示パネル２の表示容量を本実施例では列方向７２０ドット、行方向４８０ドットとし、表示パネル２に列方向６４０ドット、行方向４００ドットの表示情報を表示するとする。この場合、表示の見易さを考えると、同図のごとく表示パネル２の中央に表示する方法が考えられる。そのため、列方向に４０ドット、行方向に４０ドット、表示パネル２の左上すなわち、本来の表示開始位置からずらすこととなる。本発明では列方向オフセット回路４１および行方向オフセット回路３１にあらかじめ、それぞれの表示開始位置を記憶させることにより任意の位置から表示することができる。その結果、第１図表示パネル２内の点線で囲まれる位置に、６４０ドット×４００ドットの表示データを表示することができ、かつ、その点線外の表示領域を走査せずに実現できる。すなわち、表示データの転送速度を上げることなく任意の位置に表示でき、本発明の目的を達成できる。」（第３頁左上欄第１行−右上欄第２行）
　
＜記載事項６＞
「第８図はソフトウェア的に設定するものであり、情報処理装置の中央演算処理装置（ＭＰＵ）６からのデータバス６２に所望のオフセット値を転送し、転送に同期して書込信号６１をレジスタ５内のラッチ５２に入力することにより任意のオフセット値をレジスタ５に設定できる。第７図および第８図に示したレジスタ５は、前記列方向オフセット回路４１、行方向オフセット回路３１のいずれにも適用できる。」（第４頁左上欄第１６行−右上欄第４行）
　
　したがって、引用刊行物２には、以下の発明が記載されている。
　
ア　ドットマトリクス表示装置の表示容量より小さい表示データを表示する場合、表示を見易くするために、前記表示データの表示開始位置を、左上すなわち本来の表示開始位置ではなく、任意の位置に設定可能とするオフセット回路を行駆動手段に配置して、例えば表示パネルの中央に表示する等、前記表示データの位置を任意に設定可能にすること。（記載事項４−５）
　
イ　オフセット回路は、ＭＰＵ６から転送される任意のオフセット値を記憶するレジスタであること。（記載事項６）
　
ウ　ドットマトリクス表示装置の表示容量より小さい表示データを表示する場合、前記表示データを表示する領域以外の領域は走査しないこと。（記載事項５）
　
（３）原々々出願の出願前の１９８３年３月２９日に頒布された刊行物である米国特許第４３７８５５７号明細書（以下、「引用刊行物３」という。）には、図面とともに以下の事項が記載されている。
　
＜記載事項７＞
「FIG.6 is a liquid crystal matrix display having eight scanning electrodes wherein a character is displayed on 5×5 dots.
 FIG.7 is a wave form diagram of scanning signals which display the characters shown in FIG.6.」（第２欄第６４−６８行）
（当審訳）
「図６は、５×５ドットの文字が表示された、８行の走査電極を有する液晶マトリックス表示装置を示す。
　図７は、図６に示される文字を表示する時の走査信号の波形図である。」
　
＜記載事項８＞
「There is a situation where the driving duty cycle can be further increased with further improvement in quality and power consumption. That is to say,in the case where the characters are made appear on the 5×5 dots of the matrix display which has eight scanning electrodes extending horizontally, as shown in FIG.6, the upper five scanning electrodes must be scanned independently, however at that time the picture elements formed with the lower three scanning electrodes are entirely OFF. In such a mode, it is possible to apply the scanning signal which has no selection period to the lower three scanning electrodes simultanenously. The scanning signals which appear at that time are shown in FIG.7, wherein COM1 shows the first scanning electrode and the others show scanning electrodes respectively.FIG.7 is a wave form diagram wherein the bias is 3 and the frame period is T.」（第８欄第１２−２８行）
（当審訳）
「質及び消費電力の点で更に改良した駆動デューティサイクルの例を挙げる。すなわち、図６に示すように、８つの水平に延びた走査電極を持つマトリクス表示装置に、５×５ドットの文字が表示される場合、上５行の走査電極はそれぞれ走査されるが、下３行に対応する部分は全てオフとされる。そのようなモードでは、下３行の走査電極には、選択期間のない走査信号を印加することが可能である。その時の走査波形は、ＣＯＭ１を最初の走査電極として各々、図７に示されている。図７は、バイアスを３、フレーム周期をＴとする時の波形図である。」
　
　上記記載事項７、８、図６、７からみて、８つの走査電極を有する液晶表示装置において、表示がされない下３行の領域に対応する走査電極には、フレーム周期に同期して非選択レベルの電圧が印加されて交流駆動を行い、かつ選択レベルの電圧を印加しないことを読み取れる。
　
　したがって、引用刊行物３には、以下の発明が記載されている。
　
エ　一部領域に表示をすることが可能な液晶表示装置において、表示がされない領域に対応する走査電極に対しては、フレーム周期に同期して非選択レベルの電圧が印加されて交流駆動を行い、かつ選択レベルの電圧を印加しないこと。（記載事項７、８、図６、７）
　
３　対比
　本願補正発明と引用発明１とを対比する。
　
　引用発明１の「液晶表示パネル」において、通常、液晶表示パネルのコモン電極とセグメント電極は、それぞれ一方向に延び、かつ互いに交差するように形成されているから、引用発明１の「コモン電極ＣＯＭ０〜１９」、「セグメント電極ＳＥＧ０、１、２、…」は、それぞれ本願補正発明の「液晶パネルの第１方向に設けられた複数の第１電極」、「前記第１方向に交差する第２方向に設けられた複数の第２電極」に相当する。
　引用発明１の「前記液晶表示パネルの一部領域のみに表示を行わせる」と本願補正発明の「前記液晶パネルにおいて一部表示領域を設定可能な」とは、「前記液晶パネルの一部表示領域に表示を行わせることが可能な」という点で共通する。
　引用発明１の「液晶ドライバ」は、セグメント電極を駆動するセグメントドライバ、コモン電極を駆動するコモンドライバ、これらセグメントドライバ、コモンドライバの動作制御を行う液晶コントローラが備えられているから、本願補正発明の「液晶表示制御装置」に相当する。
　したがって、引用発明１の「液晶表示パネルのコモン電極ＣＯＭ０〜１９及びセグメント電極ＳＥＧ０、１、２、…を駆動し、前記液晶表示パネルの一部領域のみに表示を行わせる液晶ドライバと、を含む液晶表示装置」と本願補正発明の「液晶パネルを構成するガラス基板上に実装され、前記液晶パネルの第１方向に設けられた複数の第１電極と前記第１方向に交差する第２方向に設けられた複数の第２電極の駆動を制御し、前記液晶パネルにおいて一部表示領域を設定可能な液晶表示制御装置」とは、「液晶パネルの第１方向に設けられた複数の第１電極と前記第１方向に交差する第２方向に設けられた複数の第２電極の駆動を制御し、前記液晶パネルの一部表示領域に表示を行わせることが可能な液晶表示制御装置」という点で共通する。
　
　引用発明１の「液晶ドライバの外部のＣＰＵから表示データとタイミング信号が送られてくるインタフェース回路」は、本願補正発明の「液晶表示制御装置の外部から信号が入力されるインタフェース回路」に相当する。
　
　引用発明１の「駆動する」、「コモンドライバ」は、それぞれ本願補正発明の「駆動するための信号を出力する」、「第１ドライバ」に相当する。
　したがって、引用発明１の「コモン電極ＣＯＭ０〜１９を駆動するコモンドライバ」と本願補正発明の「タイミング発生回路に結合され、前記複数の第１電極を駆動するための信号を出力する第１ドライバ」とは、「前記複数の第１電極を駆動するための信号を出力する第１ドライバ」という点で共通する。
　
　引用発明１の「駆動する」、「セグメントドライバ」は、それぞれ本願補正発明の「駆動するための信号を出力する」、「第２ドライバ」に相当する。
　したがって、引用発明１の「セグメント電極ＳＥＧ０、１、２、…を、前記ＣＰＵから送られてくる表示データとタイミング信号に従って駆動するセグメントドライバ」と本願補正発明の「表示データＲＡＭから読み出された表示データに従って前記複数の第２電極を駆動するための信号を出力する第２ドライバ」とは、「表示データに従って前記複数の第２電極を駆動するための信号を出力する第２ドライバ」という点で共通する。
　
　引用発明１の「一部領域に対応するコモン電極ＣＯＭ０〜２」、「走査し」、「液晶表示パネルの前記一部領域とは異なる領域に対応する表示に使用されないコモン電極ＣＯＭ３〜１９」は、それぞれ本願補正発明の「一部表示領域の位置の前記第１電極」、「駆動し」、「液晶パネルにおいて非表示領域に対応する前記一部表示領域以外の位置の前記第１電極」に相当する。
　したがって、引用発明１の「コモンドライバは、前記一部領域に対応するコモン電極ＣＯＭ０〜２を走査し、前記液晶表示パネルの前記一部領域とは異なる領域に対応する表示に使用されないコモン電極ＣＯＭ３〜１９に対しては、フレーム周期に同期して交流駆動を行いかつ選択電圧が一括して印加される」と本願補正発明の「第１ドライバは、前記表示位置設定レジスタで指定される前記一部表示領域の位置の前記第１電極を駆動し、かつ、前記液晶パネルにおいて非表示領域に対応する前記一部表示領域以外の位置の前記第１電極に対して、フレーム周期に同期して非選択レベルの電圧で交流駆動を行うと共に、選択レベルの電圧を印加しない」とは、「第１ドライバは、前記一部表示領域の位置の前記第１電極を駆動し、かつ、前記液晶パネルにおいて非表示領域に対応する前記一部表示領域以外の位置の前記第１電極に対して、フレーム周期に同期して交流駆動を行う」という点で共通する。
　
　引用発明１の対象である「液晶表示装置」と本願補正発明の対象である「液晶モジュール」とは、「液晶表示装置」である点で共通する。
　
　したがって、本願補正発明と引用発明１の両者は、以下の一致点で一致し、以下の相違点で相違する。
　
＜一致点＞
「液晶表示パネルと、
　前記液晶パネルの第１方向に設けられた複数の第１電極と前記第１方向に交差する第２方向に設けられた複数の第２電極の駆動を制御し、前記液晶パネルの一部表示領域に表示を行わせることが可能な液晶表示制御装置と、
を含む液晶表示装置であって、
　前記液晶表示制御装置は、
　前記液晶表示制御装置の外部から信号が入力されるインタフェース回路と、
　前記複数の第１電極を駆動するための信号を出力する第１ドライバと、
　表示データに従って前記複数の第２電極を駆動するための信号を出力する第２ドライバと、を有し、
　前記第１ドライバは、前記一部表示領域の位置の前記第１電極を駆動し、かつ、前記液晶パネルにおいて非表示領域に対応する前記一部表示領域以外の位置の前記第１電極に対して、フレーム周期に同期して交流駆動を行う液晶表示装置。」
　
＜相違点１＞
　液晶表示制御装置が、本願補正発明では、液晶パネルを構成するガラス基板上に実装されているのに対して、引用発明１では、その点が明らかでない点。
　
＜相違点２＞
　本願補正発明では、液晶表示制御装置は、「インタフェース回路に結合され、前記液晶パネルに表示すべき表示データを格納する表示データＲＡＭ」と、「前記表示データＲＡＭのアドレスを発生するアドレスカウンタ」と、「液晶表示制御装置の内部でタイミング信号を発生するタイミング発生回路」とを有しており、第１ドライバが「前記タイミング発生回路に結合され」、第２ドライバが「前記表示データＲＡＭから読み出された」表示データに従って複数の第２電極を駆動するための信号を出力しているのに対して、引用発明１では、その点が明らかでない点。
　
＜相違点３＞
　本願補正発明では、液晶表示制御装置は、「液晶パネルにおいて一部表示領域を設定可能」であり、「インタフェース回路に結合され、前記一部表示領域の位置を任意に指定する表示位置設定レジスタ」を有しており、「表示位置設定レジスタは、前記液晶表示制御装置の外部から書き替え可能とされ」、また、第１ドライバは、「表示位置設定レジスタで指定される」一部表示領域の位置の第１電極を駆動しているのに対して、引用発明１では、液晶ドライバは、表示位置設定レジスタを有しておらず、また、コモンドライバは、一部領域に対応するコモン電極ＣＯＭ０〜２を走査する点。
　
＜相違点４＞
　液晶パネルにおいて非表示領域に対応する一部表示領域以外の位置の第１電極に対して、フレーム周期に同期して交流駆動を行う第１ドライバに関して、本願補正発明では、非選択レベルの電圧で交流駆動を行うと共に、選択レベルの電圧を印加しないのに対して、引用発明１では、非選択レベルの電圧のみで交流駆動を行っておらず、選択電圧を一括して印加している点。
　
＜相違点５＞
　本願補正発明の対象が「液晶モジュール」であるのに対して、引用発明１の対象が「液晶表示装置」である点。
　
４　当審の判断
（１）相違点１
　液晶表示パネルを構成するガラス基板に駆動回路や制御回路を実装する方式、いわゆるＣＯＧ方式は、例えば国際公開９６／２５６８７号、特開平８−５０２７２号公報、特開平８−１０１３９８号公報に示されているように、液晶表示装置の技術分野において周知技術である。
　よって、引用発明１である、液晶表示パネルと液晶ドライバー（液晶表示制御装置）とを含む液晶表示装置において、液晶ドライバーを液晶表示装置に設けるに際し、前記周知のＣＯＧ方式を適用することは格別なことではない。
　
　したがって、相違点１に係る本願補正発明の発明特定事項は、引用刊行物１に記載された発明及び周知技術に基づいて当業者が容易に想到し得るものである。
　
（２）相違点２
　液晶ドライバに、インターフェース回路に結合され、表示データを格納する表示ＲＡＭと、表示ＲＡＭのアドレスを発生するアドレスカウンタと、液晶ドライバ内部でタイミング信号を発生するタイミング発生回路を設けることは、例えば特開平７−２１９５０８号公報、特開昭６２−１９２７９２号公報に示されているように、液晶表示装置の技術分野において周知技術である。
　よって、引用発明１の液晶ドライバに、前記周知技術を適用して、インターフェース回路に結合され、表示データを格納する表示ＲＡＭ、表示ＲＡＭのアドレスを発生するアドレスカウンタを設けるとともに、液晶ドライバ内部でタイミング信号を発生するタイミング信号発生回路を設けて、タイミング信号を、液晶ドライバの外部からではなく、液晶ドライバの内部で発生するようにすることは、当業者が必要に応じて適宜なし得ることに過ぎない。
　
　したがって、相違点２に係る本願補正発明の発明特定事項は、引用刊行物１に記載された発明及び周知技術に基づいて当業者が容易に想到し得るものである。
　
（３）相違点３
　上述したように、引用刊行物２には、ドットマトリクス表示装置の表示容量より小さい表示データを表示する場合、表示を見易くするために、前記表示データの表示開始位置を、左上すなわち本来の表示開始位置ではなく、任意の位置に設定可能とするオフセット回路を行駆動手段に配置して、例えば表示パネルの中央に表示する等、前記表示データの位置を任意に設定可能にすること、前記オフセット回路は、ＭＰＵ６から転送される任意のオフセット値を記憶するレジスタであること、前記表示データを表示する領域以外の領域は走査しないことが記載されている。そして、引用刊行物２に記載の発明は、前記レジスタに設定されたオフセット値によって定まる表示開始位置からコモン電極を駆動する構成と、表示領域以外の位置のコモン電極に対して走査しない、すなわち選択レベルの電圧を印加しない構成の両方が揃って初めて、一部領域の表示開始位置を任意に設定可能とするものである。
　引用発明１及び引用刊行物２に記載の発明は、いずれも表示装置の一部領域に表示データを表示するものであるから、引用発明１においても、引用刊行物２に記載の発明と同様に、一部領域の表示開始位置が左上すなわち本来の表示開始位置の場合、表示の見易さに欠けたものになることは明らかである。そして、当該技術分野において、表示装置の表示を見易くすることは当然考慮すべき課題であるから、前記課題を解決するために、引用発明１における表示開始位置を左上すなわち本来の表示開始位置とし、表示領域以外の領域に対応するコモン電極に一括して選択電圧を印加する構成に代えて、引用刊行物２に記載の、表示データの表示開始位置を設定可能にするレジスタを行駆動手段に配置し、所望の表示開始位置を示すオフセット値をＭＰＵ６から前記レジスタに設定し、前記オフセット値により定まる表示開始位置からコモン電極を駆動し、表示領域以外の位置のコモン電極に対して、選択レベルの電圧を印加しない構成を適用して、表示データを表示する一部領域の表示開始位置を任意の位置に設定可能とすることは、当業者が容易に想到し得ることである。
　また、両発明を組み合わせた発明では、液晶ドライバの外部にあるＣＰＵから、インターフェース回路を介して、液晶ドライバ内のレジスタに、任意のオフセット値が転送されることになるから、前記レジスタは液晶ドライバの外部から書き替え可能であり、インターフェース回路と結合されることになることは明らかである。
　
　したがって、相違点３に係る本願補正発明の発明特定事項は、引用刊行物１、２に記載された発明に基づいて当業者が容易に想到し得るものである。
　
（４）相違点４
　上述したように、引用刊行物３には、表示装置の一部領域に表示をすることが可能な液晶表示装置において、表示がされない領域に対応する走査電極に対しては、フレーム周期に同期して非選択レベルの電圧が印加されて交流駆動を行い、かつ選択レベルの電圧を印加しない発明が記載されている。
　引用発明１と、引用刊行物３に記載の発明とは、表示装置の一部領域に表示をすることが可能な液晶表示装置に関するものであり、一部領域以外の領域は表示しないものであるから、引用発明１において、表示に使用されないコモン電極に対して、選択電圧を一括して印加する構成に代えて、引用刊行物３に記載のフレーム周期に同期して非選択レベルの電圧を印加して交流駆動を行い、かつ選択レベルの電圧を印加しない構成を採用することは、当業者が容易に想到し得ることである。
　
　したがって、相違点４に係る本願補正発明の発明特定事項は、引用刊行物１、３に記載された発明に基づいて、当業者が容易に想到し得るものである。
　
（５）相違点５
　液晶表示装置の技術分野において、液晶表示パネルと液晶ドライバとをモジュール化することは、引用例を示すまでもなく周知技術に過ぎない。
　よって、引用発明１において前記周知技術を適用することは、格別なことではない。
　
　したがって、相違点５に係る本願補正発明の発明特定事項は、引用刊行物１に記載された発明及び周知技術に基づいて、当業者が容易に想到し得るものである。
　
　そして、本願補正発明によって奏される効果は、引用刊行物１乃至３の記載及び周知技術から当業者が予測し得る程度のものに過ぎない。
　
　したがって、本願補正発明は、引用刊行物１乃至３に記載された発明及び周知技術に基づいて当業者が容易に発明をすることができたものであるから、特許法第２９条第２項の規定により、特許出願の際独立して特許を受けることができない。
　
５　まとめ
　以上のとおり、本件補正が、仮に、特許請求の範囲の減縮を目的とする補正であるとした場合、本件補正は、平成１８年法律第５５号改正附則第３条第１項によりなお従前の例によるとされる同法による改正前の特許法第１７条の２第５項において準用する特許法第１２６条第５項の規定に違反するので、特許法第１５９条第１項で読み替えて準用する特許法第５３条第１項の規定により却下されるべきものである。
　
第３　本願発明
　本件補正は上記のとおり却下されたので、本願の請求項３に係る発明（以下、「本願発明」という。）は、平成１９年２月８日付けの手続補正により補正された特許請求の範囲、明細書及び図面の記載からみて、以下のとおりのものと認める。
　
「　　【請求項３】
　液晶表示パネルと、
　前記液晶パネルを構成するガラス基板上に実装され、前記液晶パネルの第１方向に設けられた複数の第１電極と前記第１方向に交差する第２方向に設けられた複数の第２電極の駆動を制御し、前記液晶パネルにおいて一部表示領域を設定可能な液晶表示制御装置と、
を含む液晶モジュールであって、
　前記液晶表示制御装置は、
　前記液晶表示制御装置の外部から信号が入力されるインタフェース回路と、
　前記インタフェース回路に結合され、前記液晶パネルに表示すべき表示データを格納する表示データＲＡＭと、
　前記表示データＲＡＭのアドレスを発生するアドレスカウンタと、
　前記液晶表示制御装置の内部でタイミング信号を発生するタイミング発生回路と、
　前記タイミング発生回路に結合され、前記複数の第１電極を駆動するための信号を出力する第１ドライバと、
　前記表示データＲＡＭから読み出された表示データに従って前記複数の第２電極を駆動するための信号を出力する第２ドライバと、
　前記インタフェース回路に結合され、前記一部表示領域の位置を指定する表示位置設定レジスタと、を有し、
　前記表示位置設定レジスタは、前記液晶表示制御装置の外部から書き替え可能とされ、
　前記第１ドライバは、前記表示位置設定レジスタで指定される前記一部表示領域の位置の前記第１電極を駆動し、かつ、前記液晶パネルにおいて非表示領域に対応する前記一部表示領域以外の位置の前記第１電極に対して、選択レベルの電圧を印加しない液晶モジュール。」
　
第４　引用刊行物に記載された発明
　引用刊行物１乃至２に記載された発明は、前記「第２」の「２　引用刊行物に記載された発明」に記載したとおりである。
　
第５　対比
　本願発明と引用発明１とを対比すると、両者は、以下の一致点で一致し、以下の相違点で相違する。
　
＜一致点＞
「液晶表示パネルと、
　前記液晶パネルの第１方向に設けられた複数の第１電極と前記第１方向に交差する第２方向に設けられた複数の第２電極の駆動を制御し、前記液晶パネルの一部表示領域に表示を行わせることが可能な液晶表示制御装置と、
を含む液晶表示装置であって、
　前記液晶表示制御装置は、
　前記液晶表示制御装置の外部から信号が入力されるインタフェース回路と、
　前記複数の第１電極を駆動するための信号を出力する第１ドライバと、
　表示データに従って前記複数の第２電極を駆動するための信号を出力する第２ドライバと、を有し、
　前記第１ドライバは、前記一部表示領域の位置の前記第１電極を駆動する液晶表示装置。」
　
＜相違点６＞
　液晶表示制御装置が、本願発明では、液晶パネルを構成するガラス基板上に実装されているのに対して、引用発明１では、その点が明らかでない点。
　
＜相違点７＞
　本願発明では、液晶表示制御装置は、「インタフェース回路に結合され、前記液晶パネルに表示すべき表示データを格納する表示データＲＡＭ」と、「前記表示データＲＡＭのアドレスを発生するアドレスカウンタ」と、「液晶表示制御装置の内部でタイミング信号を発生するタイミング発生回路」とを有しており、第１ドライバが「前記タイミング発生回路に結合され」、第２ドライバが「前記表示データＲＡＭから読み出された」表示データに従って第２電極を駆動しているのに対して、引用発明１では、その点が明らかでない点。
　
＜相違点８＞
　本願発明では、液晶表示制御装置は、「液晶パネルにおいて一部表示領域を設定可能」であり、「インタフェース回路に結合され、前記一部表示領域の位置を任意に指定する表示位置設定レジスタ」を有しており、「表示位置設定レジスタは、前記液晶表示制御装置の外部から書き替え可能とされ」、また、第１ドライバは、「表示位置設定レジスタで指定される」一部表示領域の位置の第１電極を駆動しているのに対して、引用発明１では、表示位置設定レジスタを有しておらず、また、コモンドライバは、一部領域に対応するコモン電極０〜２を走査する点。
　
＜相違点９＞
　第１ドライバは、液晶パネルにおいて非表示領域に対応する一部表示領域以外の位置の第１電極に対して、本願発明では、選択レベルの電圧を印加しないのに対して、引用発明１では、選択電圧を一括して印加している点。
　
＜相違点１０＞
　本願発明の対象が「液晶モジュール」であるのに対して、引用発明１の対象が「液晶表示装置」である点。
　
第６　判断
１　相違点６、７、１０
　相違点６、７、１０は相違点１、２、５と同一であるから、前記「第２」の「４　当審の判断」の項において検討したとおり、上記相違点６、７、１０に係る本願発明の発明特定事項は、当業者が引用刊行物１に記載された発明及び周知技術に基づいて容易に想到し得ることである。
　
２　相違点８、９
　上記相違点８、９を併せて検討する。
　上述したように、引用刊行物２には、ドットマトリクス表示装置の表示容量より小さい表示データを表示する場合、表示を見易くするために、前記表示データの表示開始位置を、左上すなわち本来の表示開始位置ではなく、任意の位置に設定可能とするオフセット回路を行駆動手段に配置して、例えば表示パネルの中央に表示する等、前記表示データの位置を任意に設定可能にすること、前記オフセット回路は、ＭＰＵ６から転送される任意のオフセット値を記憶するレジスタであること、前記表示データを表示する領域以外の領域は走査しないことが記載されている。そして、引用刊行物２に記載の発明は、前記レジスタに設定されたオフセット値によって定まる表示開始位置からコモン電極を駆動する構成と、表示領域以外の位置のコモン電極に対して走査しない、すなわち選択レベルの電圧を印加しない構成の両方が揃って初めて、一部領域の表示開始位置を任意に設定可能とするものである。
　引用発明１及び引用刊行物２に記載の発明は、いずれも表示装置の一部領域に表示データを表示するものであるから、引用発明１においても、引用刊行物２に記載の発明と同様に、一部領域の表示開始位置が左上すなわち本来の表示開始位置の場合、表示の見易さに欠けたものになることは明らかである。そして、当該技術分野において、表示装置の表示を見易くすることは当然考慮すべき課題であるから、前記課題を解決するために、引用発明１における表示開始位置を左上すなわち本来の表示開始位置とし、表示領域以外の領域に対応するコモン電極に一括して選択電圧を印加する構成に代えて、引用刊行物２に記載の、表示データの表示開始位置を設定可能にするレジスタを行駆動手段に配置し、所望の表示開始位置を示すオフセット値をＭＰＵ６から前記レジスタに設定し、前記オフセット値により定まる表示開始位置からコモン電極を駆動し、表示領域以外の位置のコモン電極に対して、選択レベルの電圧を印加しない構成を適用して、表示データを表示する一部領域の表示開始位置を任意の位置に設定可能とすることは、当業者が容易に想到し得ることである。
　また、両発明を組み合わせた発明では、液晶ドライバの外部にあるＣＰＵから、インターフェース回路を介して、液晶ドライバ内のレジスタに、任意のオフセット値が転送されることになるから、前記レジスタは液晶ドライバの外部から書き替え可能であり、インターフェース回路と結合されることになることは明らかである。
　
　したがって、相違点８、９に係る本願発明の発明特定事項は、引用刊行物１、２に記載された発明に基づいて、当業者が容易に想到し得るものである。
　
　そして、本願発明によって奏される効果は、引用刊行物１及び２の記載及び周知技術から当業者が予測し得る程度のものに過ぎない。
　
　したがって、本願発明は、引用刊行物１及び２に記載された発明及び周知技術に基づいて当業者が容易に発明をすることができたものである。
　
第７　むすび
　以上のとおり、本願発明は、引用刊行物１及び２に記載された発明及び周知技術に基づいて当業者が容易に発明をすることができたものであるから、特許法第２９条第２項の規定により特許を受けることができない。
　
　よって、結論のとおり審決する。